(57)【要約】  【課題】  外周シール剤が、外部より目立たなくすることにより、外観品位の向上を図る。  【解決手段】  外郭を構成する本体２１と、前記本体の上面を覆い前記本体に固定されるトップユニット部２５を有し、前記トップユニット部は、平板状のトッププレートと、前記トッププレートを載置して外周部を接着し保持する保持部材２３と、前記保持部材底面外周に塗布されたシール剤３３と、前記トッププレートの外周を上方より覆う枠体２６とを備えて構成し、シール剤３３を保持部材２３の外周底面に塗布し、上方より枠体２６で覆うようにした。【選択図】  図１
2005042984.tif 000002
【特許請求の範囲】
【請求項１】
外郭を構成する本体と、前記本体の上面を覆い前記本体に固定されるトップユニット部を有し、前記トップユニット部は、平板状のトッププレートと、前記トッププレートを載置して外周部を接着し保持する保持部材と、前記保持部材底面外周に塗布されたシール剤と、前記トッププレートの外周を上方より覆う枠体とを備えて構成した組込式調理器。
【請求項２】
保持部材は、外周の少なくとも一部を任意の幅で上方に折り曲げ、シール剤を側面に塗布した請求項１に記載の組込式調理器。
【請求項３】
保持部材は、外周の少なくとも一部を任意の幅で上方に鈍角に折り曲げ、シール剤を折り曲げ下面に塗布した請求項１に記載の組込式調理器。
【請求項４】
保持部材外周に塗布したシール剤と、枠体の内面を接触させて構成した請求項２または３に記載の組込式調理器。
【発明の詳細な説明】
【技術分野】
【０００１】
本発明は、一般家庭のキッチンで使用する組込式調理器に関し、特にトップユニット部の構成に関する。
【背景技術】
【０００２】
従来、この種の組込式調理器を、図６〜７に示す図において説明する。図に示すように、１１はシステムキッチン等のキャビネット、１２は鍋等を載置するトッププレート、１３はトッププレート１２や製品自体を支持しているトップフレーム、１４はその支持部で、キャビネット１１との接触部であるフランジ部、１５は内部部品等を支持する外郭、１６はフランジ部１４に備えられた発泡シール層である。１７は製品本体である。設置時にフランジ部１４についた発泡シール層１６がキャビネット１１に挟まれ、圧縮されることにより、外部からのシールを構成している（たとえば特許文献１参照）。
【特許文献１】特開平１０−４４９７２号公報（第１３頁、図６、７）
【発明の開示】
【発明が解決しようとする課題】
【０００３】
しかしながらこのような従来の構成では、トップフレームのフランジ部に直接シール剤を塗布しているため、圧縮後のシール剤の厚みが隙間となって外部より見えてしまい、外観的にも品位的にも非常に悪いものとなっていた。
【０００４】
また、キャビネットとトップフレームの間に奥行きのある隙間が発生し、ゴミ等が溜まって不衛生となり、清掃も非常にやりにくいものであった。
【０００５】
トップフレームのフランジ部をやや上方に位置するように形成し、そこに発生した空間にシール剤を塗布する構成も提案されているが、枠状のトップフレームの外周フランジ部の内曲げ構成であり、曲げ高さ寸法が決まりにくくシール剤の圧縮高さにバラツキが生じるうえ、外部より奥まった箇所でのシールであり、キッチン上にこぼされた水等はある程度フランジ部〜キッチン間の隙間に侵入してしまう可能性があった。
【課題を解決するための手段】
【０００６】
前記従来の課題を解決するために、本発明の組込式調理器は、外郭を構成する本体と、前記本体の上面を覆い前記本体に固定されるトップユニット部を有し、前記トップユニット部は、平板状のトッププレートと、前記トッププレートを載置して外周部を接着し保持する保持部材と、前記保持部材底面外周に塗布されたシール剤を有し、前記トッププレートの外周を上方より覆う枠体とを備える構成とした。
【０００７】
そしてこの構成により、シール剤は保持部材の外周底面に塗布され、その外方に枠体が覆い被さるように位置するため、圧縮後のシール剤隙間はそれにより隠されて外部からは見えず、外観品位が著しく向上するものである。
【０００８】
また、保持部材は平板状でシール剤を塗布しやすい上に、保持部材の最外周にシール剤を塗布することができるため、キャビネットと保持部材間に奥行きのある隙間が発生しにくくゴミ等もたまらない衛生面での向上も奏でることができるものである。
【発明の効果】
【０００９】
以上のように請求項１ないし４に記載の発明によれば、外郭を構成する本体と、前記本体の上面を覆い前記本体に固定されるトップユニット部を有し、前記トップユニット部は、平板状のトッププレートと、前記トッププレートを載置して外周部を接着し保持する保持部材と、前記保持部材底面外周に塗布されたシール剤を有し、前記トッププレートの外周を上方より覆う枠体とを備える構成としたことにより、シール剤は保持部材の外周底面に塗布され、その外方に枠体が覆い被さるように位置するため、圧縮後のシール剤隙間はそれにより隠されて外部からは見えず、外観品位が著しく向上するものである。
【発明を実施するための最良の形態】
【００１０】
請求項１に記載の発明は、外郭を構成する本体と、前記本体の上面を覆い前記本体に固定されるトップユニット部を有し、前記トップユニット部は、平板状のトッププレートと、前記トッププレートを載置して外周部を接着し保持する保持部材と、前記保持部材底面外周に塗布されたシール剤と、前記トッププレートの外周を上方より覆う枠体とを備えて構成した。
【００１１】
そしてこの構成により、シール剤は保持部材の外周底面に塗布され、その外方に枠体が覆い被さるように位置するため、圧縮後のシール剤隙間はそれにより隠されて外部からは見えず、外観品位が著しく向上するものである。
【００１２】
また、保持部材は平板状でシール剤を塗布しやすい上に、保持部材の最外周にシール剤を塗布することができるため、キャビネットと保持部材間に奥行きのある隙間が発生しにくくゴミ等もたまらない衛生面での向上も奏でることができるものである。
【００１３】
請求項２に記載の発明は、上記に加え、保持部材は、外周の少なくとも一部を任意の幅で上方に折り曲げ、シール剤を側面に塗布した構成とした。
【００１４】
この構成により、キャビネットと保持部材のシール剤における隙間はほとんどなくなり、よりゴミ等の溜まりにくい調理器を提供できることとなる。
【００１５】
請求項３に記載の発明は、上記に加え、保持部材は、外周の少なくとも一部を任意の幅で上方に鈍角に折り曲げ、シール剤を折り曲げ下面に塗布した構成とした。
【００１６】
この構成により、保持部材へのシール剤塗布は保持部材を裏返して上面からできるため、容易に塗布できると共に、キャビネットと保持部材のシール剤における隙間はほとんどなくなり、よりゴミ等の溜まりにくい調理器を提供できることとなる。
【００１７】
また、シール剤塗布部の外周面は、平板の鈍角曲げのため、角度管理が容易で、シール剤の圧縮率を勘案しながら調整することができ、適切なシール性を保つことができることとなる。
【００１８】
請求項４に記載の発明は、上記に加え、保持部材外周に塗布したシール剤と、枠体の内面は接触するように構成したものである。
【００１９】
この構成により、外部からの水等の侵入は、枠体とシール剤、および保持部材によりほぼ完全に遮断され、きわめてシール性のよい調理器を提供できることとなる。
【実施例１】
【００２０】
以下、本発明の実施例について、図面を参照しながら説明する。
【００２１】
（実施例１）
図１は、本発明の第１の実施例における組込式誘導加熱調理器の要部分解斜視図である。図２は図１におけるトップユニット部前方の断面図である。
【００２２】
図１、図２において、２１は外郭本体であり、内部に加熱コイルや冷却用のファンモーター、制御基板等（図示せず）を有し、２２はトップユニット部で外郭本体２１を上方から覆う。トップユニット部２２は保持部材２３と、それに載置され全周を接着剤２４で接着されるトッププレート２５と、トッププレート２５の上方より外周を覆う枠体２６とより構成されている。２７は保持部材２３の前辺部に下方よりビスＡ２８で固定されるフック部でトップユニット部２２が外郭本体２１にセットされた後、前方よりビスＢ２９にて固定される。さらにトップユニット部２２は保持部材２３と枠体２６に設けられた穴部を介してビスＣ３０にて外郭本体２１に固定されている。３１は冷却用の大気を吸い込む吸気孔３２等を覆う吸排気パネルである。３３は発泡性のシール剤で保持部材２３の外周底面に塗布されている。
【００２３】
以上のように構成されたトップユニット部構成について、以下その動作、作用を説明する。
【００２４】
シール剤３３は保持部材２３の外周底面に塗布され、その外方に枠体２６が覆い被さるように位置するため、キッチンキャビネットに本体を組み込んだ際の圧縮後のシール剤隙間６７はそれにより隠されて外部からは見えず、外観品位が著しく向上するものである。
【００２５】
また、保持部材２３は平板状でシール剤３３を塗布しやすい上に、保持部材２３の最外周にシール剤３３を塗布することができるため、キャビネットと保持部材２３間に奥行きのある隙間が発生しにくくゴミ等もたまらない衛生面での向上も奏でることができるものである。
【００２６】
（実施例２）
本発明の第２の実施例について説明する。
【００２７】
図３において、４１は保持部材でその外周４２を上方に折り曲げ、シール剤４３を側面４４に塗布し、上方より枠体４５で覆ったものである。
【００２８】
この構成により、キャビネットと保持部材４１のシール剤４３における隙間６７はほとんどなくなり、よりゴミ等の溜まりにくい調理器を提供できることとなる。
【００２９】
（実施例３）
本発明の第３の実施例について説明する。
【００３０】
図４において、５１は保持部材でその外周５２を上方に鈍角に折り曲げ、シール剤５３を折り曲げ下面５４に塗布し、上方より枠体５５で覆ったものである。
【００３１】
この構成により、保持部材５１へのシール剤５３塗布は保持部材５１を裏返して上面からできるため、容易に塗布できると共に、キャビネットと保持部材５１のシール剤５３における隙間６７はほとんどなくなり、よりゴミ等の溜まりにくい調理器を提供できることとなる。
【００３２】
また、シール剤５３塗布部の外周面は、平板の鈍角曲げのため、角度管理が容易で、シール剤５３の圧縮率を勘案しながら調整することができ、適切なシール性を保つことができることとなる。
【００３３】
（実施例４）
本発明の第４の実施例について説明する。
【００３４】
図５において、６１は保持部材でその外周６２を上方に鈍角に折り曲げ、シール剤６３を折り曲げ下面６４に塗布し、上方より枠体６５で覆い、シール剤６３と枠体６５の内面６６を接触するようにしたものである。
【００３５】
この構成により、外部からの水等の侵入は、枠体６５とシール剤６３、および保持部材６１によりほぼ完全に遮断され、きわめてシール性のよい調理器を提供できることとなる。
【図面の簡単な説明】
【００３６】
【図１】本発明の第１の実施例における組込式誘導加熱調理器の要部分解斜視図
【図２】本発明の第１の実施例における要部断面図
【図３】本発明の第２の実施例における要部断面図
【図４】本発明の第３の実施例における要部断面図
【図５】本発明の第４の実施例における要部断面図
【図６】従来の組込式調理器の要部断面図
【図７】従来の組込式調理器の要部斜視図
【符号の説明】
【００３７】
２１  外郭本体
２２  トップユニット部
２３、４１、５１、６１  保持部材
２５  トッププレート
２６、４５、５５、６５  枠体
３３、４３、５３、６３  シール剤
４２、５２、６２  外周
４４  側面
５４、６４  折り曲げ下面
６６  内面
【図１】
2005042984.tif 000003
【図２】
2005042984.tif 000004
【図３】
2005042984.tif 000005
【図４】
2005042984.tif 000006
【図５】
2005042984.tif 000007
【図６】
2005042984.tif 000008
【図７】
2005042984.tif 000009